(57)【要約】  ｙ方向の伸長（伸張）を有する弾性積層体部分（１０）を含む、（糞便を受け入れるための）大きな開口部を有するトップシート（２０）を含む吸収性物品であって、前記積層体部分は、異なる程度の最大伸長を有する第１領域及び第２領域（１，２）、好ましくは第３領域（３）、並びに／又は異なるしわの高さ及び／若しくは密度を有するそのような領域（１，２，３）を有し、それによって、圧痕をあまり引き起こさないか又は全く引き起こさない１以上の領域（１，２，３）が生成される一方で、全体的な優れた力特性が維持され、その結果、皮膚から離れた優れた糞便隔離を提供する高性能で着け心地のよい吸収性物品が得られる。
2009511130.tif 000002
【特許請求の範囲】
【請求項１】
長手方向（ｙ方向）縁部を有する開口部を有するトップシート（２０）と、当該トップシート（２０）に取り付けられた弾性材（１２）により形成された１以上の弾性積層体部分（１０）とを備えた使い捨て吸収性物品であって、前記弾性積層体部分は、前記開口部の前記長手方向縁部の少なくとも一部に沿って配置され、
前記トップシート（２０）及び弾性積層体部分（１０）は、第１方向（例えばｙ方向）に弾性伸縮可能であり、前記弾性積層体部分（１０）は、完全に収縮した長さＬｃ、及び十分に伸張した完全な長さＬｓを有し、前記弾性積層体部分（１０）は、少なくとも０．６、又は好ましくは少なくとも０．８の最大伸長εで伸長することができ、
前記積層体部分（１０）は、完全に収縮した長さＬｃ領域１、及び完全に伸張した長さＬｓ領域１、及びεの５０％未満の最大伸長ε領域１を有する第１領域（１）と、完全に収縮した長さＬｃ領域２、及び完全に伸張した長さＬｓ領域２、及びεを超過する最大ｙ方向伸長ε領域２を有する第２領域（２）とを包含する、異なる最大伸長を有する（ｙ方向における）領域（１，２）を有し、前記第１領域（１）及び第２領域（２）は、少なくとも２ｃｍの完全に収縮した長さＬｃ領域１及びＬｃ領域２を有する、使い捨て吸収性物品。
【請求項２】
長手方向（ｙ方向）縁部を有する開口部を有するトップシート（２０）と、当該トップシート（２０）に取り付けられた弾性材（１２）により形成された１以上の弾性積層体部分（１０）とを備えた使い捨て吸収性物品であって、前記弾性積層体部分は、前記開口部の前記長手方向縁部の少なくとも一部に沿って配置され、
前記トップシート（２０）及び積層体部分（１０）は、第１方向（例えばｙ方向）に弾性伸縮可能であり、前記弾性積層体部分（１０）は、十分に伸張した完全な長さＬｓ、及び完全に収縮した長さＬｃを有し、前記弾性積層体部分（１０）は、少なくとも０．６、又は好ましくは少なくとも０．８の伸長εで伸長することができ、
前記弾性積層体部分（１０）は、完全に収縮した長さＬｃ領域１、及び完全に伸張した長さＬｓ領域１、及び最大ｙ方向伸長ε領域１を有する少なくとも第１領域（１）と、完全に収縮した長さＬｃ領域２、及び完全に伸張した長さＬｓ領域２、及び最大伸長ε領域２を有する第２領域（２）とを有する、異なる最大伸長の（ｙ方向における）領域（１，２）を有し、前記第１領域（１）及び前記第２領域（２）の各々は、少なくとも２ｃｍの完全に収縮した長さＬｃ領域１を有し、部分的な伸長ε＝０．５において、
ａ）前記弾性積層体部分（１０）は、（ｚ方向における）平均的なしわの高さＨｗを有するしわを有し、また前記第１領域（１）は、しわを有さないか又はＨｗの５０％未満の平均的なしわの高さＨｗ領域１を有するしわを有し、及び／又は
ｂ）前記伸縮性積層体部分（１０）は、しわの密度Ｄｗ（１ｃｍ当たりのしわ）を有し、また前記第１領域（１）は、０、又はＤｗの５０％未満のしわの密度Ｄｗ領域１を有する、使い捨て吸収性物品。
【請求項３】
請求項１及び２に記載の吸収性物品。
【請求項４】
前記弾性積層体部分（１０）が、εを超過する最大伸長ε領域３を有する（Ｘ−Ｙ方向における）第３領域（３）を含み、前記第１領域（１）は、（ｙ方向における）前記第２及び第３領域（３）の間に配置される、請求項１〜３のいずれか一項に記載の吸収性物品。
【請求項５】
前記物品が、股部区域、前側腰部区域、及び後側腰部区域を有し、前記第１領域（１）は、前記物品の前記股部区域又は前記物品の（縦方向の）前側４０％又は３０％内に配置される、請求項１〜４のいずれか一項に記載の吸収性物品。
【請求項６】
おむつ又は成人用失禁衣類である吸収性物質であって、前記開口部は、細長いスリット開口部であり、前記トップシート（２０）は、前記開口部の前記長手方向縁部に沿って、前記おむつ又は衣類の前側横方向縁部及び／又は後側横方向縁部へ又はそれらに向かってＸ字型に延在する、少なくとも２つの弾性積層体部分（１０）を含む、請求項１〜５のいずれか一項に記載の吸収性物品。
【請求項７】
前記トップシートが、疎水性であるとともに、１以上のスパンボンド不織布層及び１以上のメルトブローン不織布層を含む、不織布積層体を備えた、請求項１〜６のいずれか一項に記載の吸収性物品。
【請求項８】
前記トップシート（２０）が、２００％の伸長で１．６Ｎ以下の第１負荷力、及び２００％の伸長で０．５Ｎ以上の第２負荷軽減力を有するよう、当該トップシート（２０）が力特性を有する、請求項１〜７のいずれか一項に記載の吸収性物品。
【発明の詳細な説明】
【技術分野】
【０００１】
本発明は、トップシート（２０）を含む吸収性物品に関し、トップシート（２０）は、実質的にｙ方向の伸長（伸張）を有する弾性積層体（１０）であるか又は部分的に弾性積層体（１０）であるか又は弾性積層体（１０）を含み、トップシート材料（支持材料）及び弾性材（１２）を含み、異なる程度の最大伸長を有する領域（１，２）、並びに／又は異なるしわの高さ及び／若しくはしわの密度を有する領域（１，２）を有し、それによって圧痕をあまり引き起こさない、又は全く引き起こさない１以上の領域（１）が作られる一方、全体的な優れた力特性が維持され、その結果、皮膚から離れた排出物隔離に優れた着け心地の良い吸収性物品が得られる。
【背景技術】
【０００２】
幼児用おむつ、トレーニングパンツ、及び成人用失禁衣類などの吸収性物品は、典型的には、物品からの排出物の漏れを低減させるために、弾性レッグカフ及び／又はバリアカフを含む。それらはまた、しばしば、着用者が動く時のフィット性及び快適性を改善するために、伸縮性腰バンドを含む。ある種の糞便隔離用のおむつは、ユーザーの肛門とトップシート及び開口部の正確な位置合わせを確実にするために、またその結果、トップシートの下で糞便の最適な受け入れ及び隔離を確実にするために、弾性バンドに沿って大きな開口部をそこに有するトップシートを（また）含む。
【０００３】
そのような物品のこれらの伸縮性部分は、典型的には、プラスチックフィルム又は不織布材料などの非弾性シートに積層された弾性材を含み、伸張状態における弾性材をシートに取り付けることによって得られる。従って、その結果得られる積層体は、未伸張の収縮状態において、及び部分的伸張状態において余分なシート材を含み、これによりしわが形成される。
【０００４】
おむつのそのような伸縮性部分は、皮膚上の弾性部分の圧力に起因して、及び／又は皮膚を覆うしわの寄った伸縮性部分の擦れに起因して、使用中に不快であり得る。
【０００５】
本発明者らはまた、たとえユーザーが伸縮性部分を不快なものとして経験しなくても、伸縮性部分により引き起こされる皮膚の発赤をユーザーにとって不快なものとして世話をする人が認識する場合があることを見出した。
【０００６】
本発明者らはまた、使用中に最も切実な問題は、ユーザーの敏感な領域、例えば生殖器に近い圧痕の存在であることを見出した。彼らは、生殖器に近い皮膚上で圧痕が減少すれば、おむつがより快適になる（と認められる）ことを驚くべきことに見出した。
【発明の開示】
【発明が解決しようとする課題】
【０００７】
本発明者らは、吸収性物品（おむつ）の伸縮性トップシートに弾性部分を提供し、それがより小さい程度の伸縮性のみを有するか、又は伸縮性を全く有さない（小さい）領域を有し、使用中にこれらの敏感な領域と一致すること、及びそれがより大きい程度の伸縮性のある（より大きい）領域を有することによって、優れた弾性特性及び性能を尚も維持すると共に、同時に（at the same type）、圧痕問題が大幅に低減した又は圧痕問題が全く存在しない使用中に更に快適な吸収性物品（例えば、おむつ）が得られることを見出した。同時に、優れた力特性により、トップシートは、確実にユーザーの皮膚に極めて近接して保持され、また排出物（糞便）は、確実に開口部を通って受け入れられ、皮膚から離間して維持される（隔離される）。
【課題を解決するための手段】
【０００８】
本発明は、長手方向（ｙ方向）縁部を有する（糞便を受け入れるための）開口部を有するトップシート（２０）と、、当該トップシート（２０）に取り付けられた弾性材（１２）により形成された１以上の弾性積層体部分（１０）とを備えた使い捨て吸収性物品に関し、前記弾性積層体部分は、前記開口部の長手方向縁部の少なくとも一部に沿って配置され、
前記トップシート（２０）及び弾性積層体部分（１０）は、第１方向（例えばｙ方向）に沿って弾性伸縮可能能であり、前記弾性積層体部分（１０）は、完全に収縮した長さＬｃ及び十分に伸張した完全な長さＬｓを有し、前記弾性積層体部分（１０）は、少なくとも０．６、又は好ましくは少なくとも０．８の最大伸長εで伸長することができ、
前記積層体部分（１０）は、完全に収縮した長さＬｃ領域１、及び完全に伸張した長さＬｓ領域１、及びεの５０％未満の最大伸長ε領域１を有する第１領域（１）と、完全に収縮した長さＬｃ領域２、及び完全に伸張した長さＬｓ領域２、及びεを超過する最大ｙ方向伸長ε領域２を有する第２領域（２）とを含む、異なる最大伸長を有する（ｙ方向における）領域（１，２）を有し、前記第１領域（１）及び第２領域（２）は、少なくとも２ｃｍの完全に収縮した長さＬｃ領域１及びＬｃ領域２を有する。
【０００９】
本発明はまた、長手方向（ｙ方向）縁部を有する（糞便を受け入れるための）開口部を有するトップシート（２０）と、、当該トップシート（２０）に取り付けられた弾性材（１２）により形成された１以上の弾性積層体部分（１０）とを備えた使い捨て吸収性物品に関し、前記弾性積層体部分は、前記開口部の長手方向縁部の少なくとも一部に沿って配置され、
前記トップシート（２０）及び積層体部分（１０）は、第１方向（例えばｙ方向）に沿って弾性伸縮可能であり、前記弾性積層体部分（１０）は、十分に伸張した完全な長さＬｓ及び完全に収縮した長さＬｃを有し、前記弾性積層体部分（１０）は、少なくとも０．６、又は好ましくは少なくとも０．８の伸長εで伸長することができ、
前記弾性積層体部分（１０）は、完全に収縮した長さＬｃ領域１、及び完全に伸張した長さＬｓ領域１、及び最大ｙ方向伸長ε領域１を有する少なくとも第１領域（１）と、完全に収縮した長さＬｃ領域２、及び完全に伸張した長さＬｓ領域２、及び最大伸長ε領域２を有する第２領域（２）とを有する、異なる最大伸長の（ｙ方向における）領域（１，２）を有し、前記第１領域（１）及び前記第２領域（２）は各々、少なくとも２ｃｍの完全に収縮した長さＬｃ領域１を有し、部分的な伸長ε＝０．５において、
ａ）前記弾性積層体部分（１０）は、（ｚ方向における）平均的なしわの高さＨｗを有するしわを有し、また前記第１領域（１）は、しわを有さないか又はＨｗの５０％未満の平均的なしわの高さＨｗ領域１を有するしわを有し、及び／又は
ｂ）前記弾性積層体部分（１０）は、しわの密度Ｄｗ（１ｃｍ当たりのしわ）を有し、また前記第１領域（１）は、０、又はＤｗの５０％未満のしわの密度Ｄｗ領域１を有する。
【００１０】
その物品は、好ましくはおむつ、例えば成人用失禁衣類、乳児用若しくは幼児用おむつ又はトレーニングパンツである。
【００１１】
開口部は、細長いスリット開口部であってもよい。
【００１２】
好ましくは、弾性積層体部分（１０）は、少なくとも３つの領域（１，２，３）を含み、この場合、第１領域（fist zone）（１）は、（伸張の方向に）第２領域（２）及び第３領域（３）の間に配置される。第１領域（１）は、物品の股部区域内、又は物品の前側５０％内に配置されてもよい。第２領域（２）の収縮した長さは、第１領域（１）の収縮した長さを超過してもよい。任意に、弾性積層体部分は、長手方向末端部の一方又は両方に長さ１．５ｃｍ未満、好ましくは長さ１ｃｍ未満の取付部分（４）を含んでもよく、ここで、弾性積層体部分は、例えば第１領域（１）のように、低い伸長可能性を有する。
【発明を実施するための最良の形態】
【００１３】
「吸収性物品」は、液体を吸収及び／又は収容する着用可能なデバイスを指し、より具体的には、着用者の体に接して又は近接して配置されて、身体から排出される様々な排出物を吸収し収容するデバイスを指す。本明細書で使用するとき、用語「おむつ」は、一般に幼児及び失禁者により胴体下部の周囲で着用される吸収性物品を指す。
【００１４】
本明細書で使用するとき、「ｙ方向」の伸長又は伸張は、トップシート（２０）又は積層体部分（１０）が、全体として平均方向における伸長又は伸張を有することを意味しており、これを本明細書において「ｙ方向」と呼ぶ。これは、トップシート（２０）若しくは弾性積層体部分（１０）の長手方向軸線の４５度以内の方向、又は長手方向軸線に平行な線であってもよい。
【００１５】
「完全な十分に伸張した長さ」は、トップシート（２０）又は部分（１０）が、本明細書に示したｙ方向にその最大長さまで伸張されたときの、前記トップシート（２０）又は弾性積層体部分（１０）の長さである。
【００１６】
「完全に収縮した長さ」は、伸張力がそれに印加されていないときの、例えば、それが弛緩状態であり表面上で平坦なときの、トップシート（２０）又は弾性積層体部分（１０）の長さである。
【００１７】
「ｚ方向」は、ｙ方向に対して垂直で、実質的に積層体のしわの高さの方向であり、本明細書において高さ又は厚さ寸法とも呼ばれる。
【００１８】
「ｘ方向」は、ｘ方向及びｙ方向の両方向に対して垂直である。
【００１９】
本明細書で使用するとき、「弾性」とは、品目が、ある方向に力を印加することによって拡張可能であるか又は伸縮可能であり、伸張力が解放された後、その方向にその元の長さの少なくとも８０％に、しかしその元の長さの１５０％未満に、典型的にはほぼその元の大きさに戻ることを意味する。
【００２０】
本明細書で使用するとき、「〜に沿って」とは、少なくとも部分的に平行であり、極めて近接しているか又は更に接触していることを意味する。
【００２１】
本明細書で使用するとき、トップシート内の開口部とは、トップシートによって完全に包囲されるがトップシート材料が存在しない領域であり、これは、糞便物を受け入れるのに十分に大きく、典型的には、少なくとも２ｃｍの長さ又は幅であるか、又は少なくとも２ｃｍ２の表面積を有する。
【００２２】
本明細書で使用するとき、用語「空隙空間」は、糞便物などの排泄物を受け入れて閉じ込める働きをする、少なくとも弛緩状態において存在する物品内の空洞であり、典型的には弛緩状態で少なくとも５ｃｍ３である。
【００２３】
本明細書で使用するとき、「取り付けられた」とは、「直接的に取り付けられた」及び「間接的に取り付けられた」を含む。
【００２４】
本明細書に値が規定されている特定の特性又は寸法によって規定されている各実施形態には、機能的に同等の特性又は寸法を備えている実施形態が含まれると理解すべきである。例えば０．５ｃｍの寸法は、「約０．５ｃｍ」を意味すると理解すべきである。
【００２５】
本発明の使い捨て吸収性物品は、生理用ナプキン、パンティライナー、又はおむつ、即ち、成人用失禁衣類若しくは（図１〜５に示すような）幼児用おむつ若しくはトレーニングパンツ若しくはプルアップ式パンツであってもよい。その物品は、本明細書に記載の弾性積層体部分（１０）を有するトップシート（２０）及び追加の構成要素を含み、典型的には少なくともバックシート（２１）、吸収性コア、及びコアカバーシート又はトップシート（２０）を有する。
【００２６】
本発明の吸収性物品は、弾性材（１２）から形成される少なくとも１つの弾性積層体部分（１０）と、前記トップシートの一部、例えばそれ自体は典型的には弾性伸縮可能ではない支持トップシート材料（１３）とを含む、少なくともトップシート（２０）を含み、前記弾性積層体部分（１０）は、図に示すように、少なくともｙ方向の伸張（伸長）、又はｙ方向のみの伸張を有する。その物品はまた、例えば、レッグカフ（２４）又はバリアカフ（２６）又は腰バンド（２５）などの、そのような弾性積層体部分（１０）を含む他の構成要素を含んでもよい。
【００２７】
トップシート（２０）の及び弾性積層体部分（１０）の最長寸法又は長さは、典型的にはトップシート（２０）及び物品のｙ軸に対して平行であり、これは、典型的には弾性積層体部分（１０）及びトップシート（２０）の平均伸張方向に対して実質的に平行である。
【００２８】
例えば、レッグカフ（２５）又はバリアカフ（２６）もまた前記弾性積層体部分（１０）を含むか又はこれから成る場合、レッグカフ（２５）又はバリアカフ（２６）及び前記積層体部分（１０）のｙ方向は、典型的には物品のｙ方向及びｙ軸に対して実質的に平行であるか、又は概して平行である。
【００２９】
前記トップシート（２０）は、１を超過するそのような積層体部分（１０）を含んでもよく、各々は、本明細書で述べるその領域（１，２）、長さ及び伸長の点で同一であってもよく、又は異なるその領域（１，２）、長さ及び伸長を有してもよい。例えば、トップシート（topheet）は、少なくとも２つの分離した別個の弾性積層体部分（１０）を含み、その各々は、本明細書で後述されるように、開口部の少なくとも一部に沿って配置される。
【００３０】
トップシート（２０）は、（支持）トップシート材料及び弾性材（１２）、並びに任意に接着剤のような取付手段から成ってもよいが、それは追加要素を含んでもよい。トップシート材料（２０）は、単一のシートであってもよく、又はそれは１を超過するシート又は層を含んでもよく、例えば、それは層の積層体であってもよい。トップシート（２０）自体は、ｙ方向に弾性伸縮可能ではないことが好ましい場合がある。
【００３１】
本発明の好ましい使い捨て吸収性物品は、図１〜５に示すおむつであり、それは、吸収性コア（２３）、トップシート（２０）の下に及び吸収性コア（２３）の上に配置された液体透過性コアカバーシート、液体不透過性バックシート（２１）、任意選択的に（弾性）サイドパネル（２７）、（弾性）レッグカフ（２５）、（弾性）バリアカフ（２６）、（弾性）腰機構（２４）、及び締着装置（２８）を含んでもよい。図１、２及び３に示す物品は、第１腰部区域と、第１腰部区域に対向する第２腰部区域と、第１腰部区域及び第２腰部区域間に位置付けられた股部区域とを有しており、各々は、物品長さの約１／３である。
【００３２】
好ましい実施形態では、バックシート（２１）は、液体（例えば、尿）に対して不透過性であり、約０．０１２ｍｍ（０．５ミル）〜約０．０５１ｍｍ（２．０ミル）の厚さを有する熱可塑性フィルムなどの、薄いプラスチックフィルムを含む。好適なバックシートフィルムとしては、インディアナ州テレホート（Terre Haute， IN）のトレデガー・インダストリーズ社（Tredegar Industries Inc.）により製造され、商品名Ｘ１５３０６、Ｘ１０９６２、及びＸ１０９６４で販売されているものが挙げられる。他の好適なバックシート材料としては、物品から蒸気を逃がす一方で、排出物がバックシートを通過することをなおも防ぐ通気性材料を挙げてもよい。代表的な通気性材料としては、織布ウェブ、不織布ウェブ、フィルムコーティングされた不織布ウェブのような複合材料、三井東圧社（Mitsui Toatsu Co.，）（日本）によりエスポワール（ESPOIR）ＮＯの表記で製造されるもの、及びエクソンケミカル社（Exxon Chemical Co.，）（テキサス州ベイシティ（Bay City））によりエクサエール（EXXAIRE）の表記で製造されるもののような、ミクロ孔質フィルム、並びにクロペイ社（Clopay Corporation）（オハイオ州シンシナティ（Cincinnati））によりハイトレル（HYTREL）ブレンドＰ１８−３０９７の名称で製造されるもののようなモノリシックフィルムなどの材料を挙げてもよい。いくつかの通気性複合材料については、ＰＣＴ特許出願ＷＯ９５／１６７４６（Ｅ．Ｉ．デュポン（E. I. DuPont）、１９９５年６月２２日公開）；米国特許第５，９３８，６４８号（ラボン（LaVon）ら、１９９９年８月１７日発行）；米国特許第５，８６５，８２３号（クーロ（Curro）、１９９９年２月２日発行）；及び米国特許第５，５７１，０９６号（ドブリン（Dobrin）ら、１９９６年１１月５日発行）に更に詳細に記載されている。
【００３３】
物品の異なる部分又は構成要素が、当該技術分野において既知のあらゆる手段により、互いに取り付けられてもよい。例えば、取付手段としては、接着剤の均一な連続層、接着剤のパターン付き層、又は接着剤の分離した線、らせん、若しくは点の配列を挙げてもよい。１つの好ましい取付手段は、米国特許第４，５７３，９８６号、名称「使い捨て排泄物収容衣類（Disposable Waste-Containment Garment）」（ミネトラ（Minetola）ら、１９８６年３月４日発行）に開示されているように、接着剤フィラメントのオープンパターンネットワーク（open pattern network）を含む。他の好適な取付手段としては、米国特許第３，９１１，１７３号（スプレイグ・ジュニア（Sprague Jr.）、１９７５年１０月７日発行）；米国特許第４，７８５，９９６号（ツィーカー（Ziecker）ら、１９７８年１１月２２日発行）；及び米国特許第４，８４２，６６６号（ウェレニック（Werenicz）、１９８９年６月２７日発行）に示される装置及び方法により説明されるような、螺旋模様に渦を巻く、接着剤フィラメントのいくつかの線が挙げられる。満足のいくものであることが判明した接着剤は、Ｈ．Ｂ．フラー社（H.B.Fuller Company）（ミネソタ州セントポール（St. Paul））によって製造され、ＨＬ−１６２０及びＨＬ１３５８−ＸＺＰとして市販されている。或いは、取付手段は、熱ボンド、圧力接着、超音波接着、動的機械的結合、若しくは当該技術分野で既知のいずれか他の好適な取付手段、又はこれら取付手段の組合わせを含んでもよい。
【００３４】
コアカバーシートは、好ましくは、順応性があり、また柔らかな感触であり、着用者の皮膚を刺激しない。更に、コアカバーシートの少なくとも一部分は、液体透過性であり、吸収性コアにより液体を下に吸収させる。好適なコアカバーシートは、多孔質発泡体、網状発泡体、有孔のプラスチックフィルム、或いは天然繊維の織布又は不織布材（例えば、木繊維又は綿繊維）、合成繊維（例えば、ポリエステル又はポリプロピレン繊維）、或いは天然及び合成繊維の組合わせなど、広範囲の材料から製造されてもよい。コアカバーシートが繊維を含む場合、その繊維は、スパンボンド、カーディング、湿式載置、メルトブローン、水流交絡、又は当該技術分野において既知の他の方法で加工されてもよい。ステープル長さのポリプロピレン繊維のウェブを含む１つの好適なコアカバーシートは、ヴェラテック社（Veratec， Inc.）（マサチューセッツ州ウォルポール（Walpole）のインターナショナルペーパー社（International Paper Company）の一部門）によってＰ−８の表記で製造される。好適な成形フィルムコアカバーシートは、米国特許第３，９２９，１３５号、名称「先細の毛管を有する吸収性構造体（Absorptive Structures Having Tapered Capillaries）」（トンプソン（Thompson）、１９７５年１２月３０日発行）、米国特許第４，３２４，２４６号、名称「汚れにくいトップシートを有する使い捨て吸収性物品（Disposable Absorbent Article Having A Stain Resistant Topsheet）」（ミュレイン（Mullane）ら、１９８２年４月１３日発行）、米国特許第４，３４２，３１４号、名称「繊維様の特性を示す弾性プラスチックウェブ（Resilient Plastic Web Exhibiting Fiber-Like Properties）」（ラデル（Radel）ら、１９８２年８月３日発行）、米国特許第４，４６３，０４５号、名称「無光沢の可視表面及び布様の触感を示す巨視的に伸張された三次元プラスチックウェブ（Macroscopically Expanded Three-Dimensional Plastic Web Exhibiting Non-Glo
ssy Visible Surface and Cloth-Like Tactile Impression）」（アール（Ahr）ら、１９８４年７月３１日発行）、及び米国特許第５，００６，３９４号、名称「多層高分子フィルム（Multilayer Polymeric Film）」（ベアード（Baird）、１９９１年４月９日発行）に記載されている。他の好適なコアカバーシートは、米国特許第４，６０９，５１８号、及び同４，６２９，６４３号（クーロ（Curro）ら、１９８６年９月２日及び１９８６年１２月１６日発行）に従って作られてもよい。こうした成形フィルムは、プロクター・アンド・ギャンブル社（Procter & Gamble Company）（オハイオ州シンシナティ（Cincinnati））から「ドライウィーブ（DRI-WEAVE）」として、トレデガー社（Tredegar Corporation）（インディアナ州テレホート（Terre Haute））から「クリフ−Ｔ（CLIFF-T）」として入手可能である。
【００３５】
本明細書に記載のコアカバーシート又はトップシート（２０）のいかなる部分も、当該技術分野において既知のローションでコーティングされてもよい。好適なローションの例としては、米国特許第５，６０７，７６０号、名称「皮膚軟化剤とポリオールポリエステル不動化剤を含有するローション処理されたトップシートを有する使い捨て吸収性物品（Disposable Absorbent Article Having A Lotioned Topsheet Containing an Emollient and a Polyol Polyester Immobilizing Agent）」（ロー（Roe）、１９９７年３月４日発行）に記載されるものが挙げられる。ローションは、単独で又は以上に記載された疎水性化処理剤のような別の剤と組合わせて作用してもよい。コアカバーシート及び／トップシート（２０）は、抗菌剤を含んでも、抗菌剤で処理を施してもよく、このいくつかの例が、ＰＣＴ公開番号ＷＯ９５／２４１７３号、名称「臭気制御のためトップシートの中に抗菌剤を含有している吸収性物品（Absorbent Articles Containing Antibacterial Agents in the Topsheet For Odor Control）」（テレサ・ジョンソン（Theresa Johnson）、１９９５年９月１４日公開）に開示されている。
【００３６】
吸収性コアは、ほぼ圧縮性であり、順応性があり、着用者の皮膚に刺激がなく、並びに尿及び他のある種の排泄物などの液体を吸収して保持可能な、いかなる吸収性材料を含んでもよい。吸収性コアは、多種多様の大きさ及び形状（例えば、方形、砂時計形、「Ｔ」字形、非対称など）で製造されてもよく、また使い捨ておむつ及び他の吸収性物品に通常使用される多種多様の液体吸収性材料、例えば、一般にエアフェルトと呼ばれる粉砕木材パルプ、及び好ましくは少なくとも超吸収性ポリマー類若しくは吸収性ゲル材料、又はその他いずれかの既知の吸収性材料又は材料の組合わせを含んでもよい。
【００３７】
その物品はまた、締着装置（２８）を含んでもよく、それにより、第１腰部区域及び第２腰部区域を、物品の周囲付近で横方向の引っ張りを与えて物品を着用者上に保持するような構成に維持する。締着装置（２８）は、好ましくは、テープ状ひも、フック・ループ式締結構成要素、及び／又は両性締結構成要素などの表面締結具を含むが、その他いずれかの既知の締着手段が一般に許容可能である。代替の実施形態では、物品の対向する側面を縫い合わせるか、又は溶着させて、パンツを形成してもよい。これにより、その物品は、プルオン型おむつ又はトレーニングパンツとして使用できるようになる。本明細書で使用するとき、用語「トレーニングパンツ」は幼児又は成人の着用者向けに設計された固定された側面と脚部開口部を有する使い捨て衣類を指す。トレーニングパンツ（当該技術分野において「プルオン」製品とも呼ばれる）は、着用者の脚を脚部開口部に挿入し、トレーニングパンツを着用者の胴体下部の周囲の位置へと滑らせることにより、着用者の上の適所に配置される。
【００３８】
その物品はまた、好ましくは弾性的又は非弾性的延伸性であるサイドパネル（２７）を含み、弾性又は延伸性サイドパネルにより物品の側部が拡張及び収縮することができるので、最初に物品を着用者に適合的にフィットさせること、及び排出物で満たされたときを優に過ぎても着用中にこのフィット性を維持することにより、より快適且つ体型に合ったフィット性を提供してもよい。
【００３９】
その物品は、液体及び他の排泄物の封入性を改善するバリアカフ（２６）及び／又はレッグカフ（２５）を含んでもよい。該レッグカフ及び／又はバリアカフはまた、本明細書にて後述されるような弾性積層体部分（１０）を含んでもよい。
【００４０】
弾性積層体部分（１０）を有するトップシート（２０）
本明細書におけるトップシート（２０）は、少なくとも１つの開口部又は唯一のそのような開口部を有し、また前記開口部は、（単一の）スリット開口部の形態であってもよい。開口部は、好ましくは、（使用中にユーザーの前側に向く）トップシート（２０）の前側区域（の一部分）及びトップシート（２０）の後側区域（の一部分）に存在する。好ましくは、トップシート（２０）は、トップシート（２０）の長手方向軸線及びおむつの長手方向軸線に対して実質的に平行な長手方向寸法（長さ）を有する、スリット開口部を有する。
【００４１】
（伸張状態において）トップシート（２０）の開口部は、開口部の長さ（又は複数の開口部の全長）の２０％〜４０％が、又はより好ましくは２０％〜３０％が、トップシート（２０）の横方向軸線からトップシート（２０）の前縁部に向かって延び、残りのパーセンテージが、トップシート（２０）の後縁部に向かって延びるように構成されることが好ましい。
【００４２】
開口部の寸法及び正確な形状は、トップシート（２０）及び／又は吸収性物品のサイズに応じて変化してもよい。例えば、好ましい実施形態において開口部は、実質的に平行な長手方向側縁部を有するスリット開口部の形体であり、側縁部は、Ｖ字形又はＵ字形の縁部により前側及び／又は後側で接合され、前側及び後側のＶ字形縁部の両方が、２つの角度付き縁部を構成する。好ましい実施形態では、前側Ｖ字形縁部は、後側Ｖ字形縁部よりもより大きな角度を有する。好ましくは、前側Ｖ字形縁部は、本明細書にて後述され図１及び２から分かるように、２０°〜１４０°、好ましくは４５°〜６５°、最も好ましくは５５°〜６０°の角度を有する。
【００４３】
スリット開口部の最大長さは、吸収性物品の全長Ｌの例えば４０％〜９０％、より好ましくは５０％〜８０％、更により好ましくは約６０％〜７０％であり得る。
【００４４】
好ましくは、特にトップシート（２０）の最大の長さが４５ｃｍ〜５５ｃｍ、典型的には４８ｃｍ〜５２ｃｍのサイズ４のおむつの場合、おむつが伸張状態にあるとき、単一スリット開口部の長さは、２０ｃｍ〜４０ｃｍ、又は更に２５ｃｍ〜３５ｃｍ、又は更に２８ｃｍ〜３２ｃｍであり得る。
【００４５】
本明細書における開口部の平均幅は、伸張状態で、トップシート（２０）の（開口部幅が含まれる）平均幅の好ましくは５％〜３０％、又はより好ましくは１０％〜２５％であり、例えばサイズ４のおむつの場合、１５ｍｍ〜６０ｍｍ、より好ましくは２０ｍｍ〜４０ｍｍである。
【００４６】
トップシート（２０）は、少なくとも１つの弾性積層体部分（１０）を含む。例えば、それは、図においても示されるように、少なくとも２つの分離した弾性積層体部分（１０）を含んでもよい。
【００４７】
弾性積層体部分（１０）は、少なくとも２つの領域、第１領域（１）及び第２領域（２）を有し、これらは、本明細書にて以下に規定されるように、異なる最大伸長を有する、及び／又は本明細書にて定義されるように、異なるしわの密度及び／又は異なるしわの高さを有する。そのような各領域は、以下の試験方法から分かるように、前記領域の伸張した長さ及び伸長を得るために、少なくとも２ｃｍである。
【００４８】
そのような領域は、前記弾性材の１以上の他の領域よりもより大きい伸長度を有する弾性材の１以上の領域を、トップシート（２０）材料に取り付けることによって得られてもよい。
【００４９】
弾性積層体部分（１０）は、一直線状、図１５に示すように、曲線状であってもよく、又は図１〜５及び１３から分かるように、互いに傾斜した向きで接合したいくつかの一直線部分、若しくはそのような形状の組合わせを含んでもよい。これは、本明細書において、それぞれ「一直線状」、「曲線状」又は「角度付き」の弾性積層体部分（１０）、或いは例えば、それぞれ「曲線状及び角度付き」の弾性積層体部分（１０）などと呼ばれる。
【００５０】
弾性積層体部分（１０）は、完全に収縮した長さＬｃを有し、これは、以下のように決定される。
【００５１】
弾性積層体部分（１０）を有するトップシート（２０）を、弾性特性が変化しないように吸収性物品から取り外す。
【００５２】
いかなる伸長力も印加せずに、トップシート（２０）を表面上に出来る限り平らに置く。次いで、トップシート（２０）の弾性積層体部分（１０）の完全に収縮した長さを測定する。本明細書において、これを積層体の完全に収縮した長さＬｃと呼ぶ。
【００５３】
本明細書において定義されるように、積層体部分は（１０）、十分に伸張した完全な長さＬｓを有し、積層体部分（１０）は、異なる伸長の領域（１，２）を有し、これは、以下の方法及び更なる方法によって検出することができ、その各領域（１，２）は、収縮した完全な長さＬｃ領域１，・・・・ｘ、及び更に十分に伸張した完全な長さＬｓ、Ｌｓ領域１，・・・・ｘを有し、これは、後述の方法及び「方法」の項における方法によって決定することができ、即ち、以下の通りである：
１）弾性積層体部分（１０）が一直線状である場合：
（上述の収縮した状態、例えば弛緩した状態における）積層体部分（１０）の長さ２ｃｍの区画を極細マーカーペンで印付けして、長さ２ｃｍの多数の区画及びおそらくは２ｃｍ未満の１つの区画をｙ軸に沿って得る。
【００５４】
次いで、全積層体部分（１０）を以下の方法に示したように伸長し、その結果、最大長さ又は十分に伸張した長さを得て、次いで、この完全な十分に伸張した長さを測定することができ、これを本明細書においてＬｓと呼ぶ。次いで、ε＝（Ｌｓ−Ｌｃ）／Ｌｃによって、最大伸長も決定することができる。
【００５５】
同様に、上記の方法を受けて今伸長された上記の各区画の長さを測定する。
【００５６】
各区画の伸長は上記のように決定することができ、例えば、以下の通りである。
ε区画１＝（Ｌｓ区画１−２ｃｍ）／２ｃｍ。
【００５７】
本明細書において定義されるように、積層体部分（１０）は、本明細書において第１領域（１）と呼ばれる少なくとも１つの区画を有し、第１領域は、εの５０％未満の伸長を有する。典型的には、それは、εの５０％未満の伸長を有する少なくとも２つの連続区画を有し、これらが、第１領域（１）を共に形成する。
【００５８】
その後、その領域を位置決めすることができ、収縮した長さＬｃ領域１を決定することができ（例えば、２ｃｍ又は２×２ｃｍ）、そのような第１領域の十分に伸張した完全な長さＬｓ領域１を決定することができ（例えば、２．５ｃｍ、又は２×２．２ｃｍ＝４．４ｃｍ）、第１領域の伸長ε領域１を上記のように計算することができる。
【００５９】
ε超過の伸長を有する区画は、本明細書において第２領域（２）と呼ばれ、ε超過の伸長を有する連続区画が存在する場合、それらは、第２領域（２）を共に形成する。そのような第２領域（２）に関して、Ｌｃ領域２を決定することができ（例えば２ｃｍ又は２×２ｃｍ、又は２×２ｃｍ）、上記のように、そのような第２領域の十分に伸張した完全な長さＬｓ領域１（例えば、４ｃｍ、又は２×３．６．ｃｍ＝７．２ｃｍ）と、上記のように第１領域の伸長ε領域１とを決定することができる。
【００６０】
第１領域（１０）の（ｙ方向における）異なる側部上に配置された、ε超過の伸長を有する区画は、本明細書において、異なる領域、例えば第２領域及び第３領域（２，３）と呼ばれる。
【００６１】
２）弾性積層体部分（１０）が「角度付き」である場合：
図３及び１３を見ると分かるように、積層体部分を、細いマーカーペンで印を付けることによって一直線部分（即ち、両角度の間）、例えば、３つの一直線部分に分割する。
【００６２】
積層体部分（１０）の一直線部分の収縮した長さを合計することによって、収縮した完全な長さＬｃを得る（例えば、それが、２つの角度を有する互いに接続された３つの一直線部分を含む場合、３つの部分（１０）の収縮した完全な長さを測定し、合計する）。
【００６３】
次いで、各々の一直線部分を、細いマーカーペンで長さ２ｃｍの区画及びおそらく２ｃｍ未満の区画に分割する。その後、各々の一直線部分を伸長する。積層体部分（１０）の一直線部分の十分に伸張した長さを合計することによって、積層体部分の十分に伸張した完全な長さＬｓを得る。各々の一直線部分における（例えば、２ｃｍの元の収縮した長さの）各区画の伸長及び伸張した長さを決定し、その後、第１領域（１）及び第２領域（２）、並びに任意に更なる領域（３，・・・）を位置決めし、一直線状の積層体部分（１０）に関して上述した方法に従い、その長さ及び伸長を決定することができる。
【００６４】
３）弾性積層体部分（１０）が曲線状である場合：
曲線状の弾性積層体部分（１０）を、細いマーカーペンで２ｃｍの完全な長さの区画及びおそらくはより短い長さの残りの一区画に分割する。
【００６５】
各区画は、２ｃｍ離間した２つの横方向縁部線を有し、また各横方向縁部線は、中心点を有する。前記２つの横方向縁部線の前記２つの点を通る線を引くことができる。これが「ｙ方向線」であり、これに沿って以下の方法で力を印加して、前記区画を伸長する。これを各区画に関して実施する。その結果、各区画の十分に伸張した長さ及びその伸長を決定することができる。
【００６６】
全ての区画を伸張した後、各区画の十分に伸張した完全な長さを測定する。次いで、異なる区画に関するこれらの値を合計することによって、積層体部分の完全に伸張した長さを計算することができる。
【００６７】
次いで、第１及び第２領域（１，２）を上述のように位置決めすることができ、それらの十分に伸張した長さ及び伸長を上述のように決定することができる。
【００６８】
４）混成した弾性積層体部分
弾性積層体部分（１０）が、曲線部分、角度付き部分及び／又は一直線部分の組合わせを含む場合、それに応じて上記の方法の組合わせを適用する。
【００６９】
弾性積層体部分（１０）は、少なくとも０．６の、又は好ましくは少なくとも０．８の、又は更により好ましくは少なくとも１．０、又は更により好ましくは少なくとも１．２（例えば、実質的にｙ方向の）伸長ε（最大）を有し、或いはそれは少なくとも１．４であってもよい。
【００７０】
弾性積層体部分（１０）は、ｙ方向における異なる程度の最大伸長可能性、及び／又は異なるしわの高さ及び／又は異なるしわの密度を有する、このｙ方向における少なくとも（as least）２つの領域（１，２）、第１領域（１）及び第２領域（２）、並びに好ましくは更なる領域（第３領域（３）、第４領域など）を有し、各々は、図６〜８から分かるように、収縮（弛緩）状態で少なくとも２ｃｍである。
【００７１】
弾性積層体部分（１０）は、一方又は両方の長手方向末端部に取付部分（４）を含んでもよく、ここでは弾性体が支持トップシート材料に取り付けられ、またここでは、しわが全く存在しなくてもよく、０．２未満、又は更に０の伸長を有する。これらの取付領域は、典型的には非常に狭く、２ｃｍ未満、又は典型的には１．５ｃｍ未満、又は更に１ｃｍ未満、又は更に０．５ｃｍ未満の長さを有する。しかしながら、本明細書における別の実施形態では、弾性積層体部分は、そのような取付部分（４）がそのどちらの長手方向末端部にも全く形成されないように、トップシート材料に取り付けられる。
【００７２】
第１の実施形態では、各領域（１，２）は、十分に伸張した完全な長さ（Ｌｓ領域１、Ｌｓ領域２、Ｌｓ領域３など）及び収縮した完全な長さ（Ｌｃ領域１、Ｌｃ領域２、Ｌｃ領域３など）、及び最大伸長（ε領域１、ε領域２、ε領域３など）を有し、各領域（１，２）に関して、ε領域１＝（Ｌｓ領域１−Ｌｃ領域１）／Ｌｃ領域１などのように決定され、前記値が上述のように得られる。
【００７３】
第１の実施形態では、第１領域（１）は、最大伸長ε領域１を有し、これは、全弾性積層体部分（１０）の平均伸長εよりも大幅に少なく、その結果、第２領域（２）は、弾性積層体部分（１０）全体の平均伸長εを超過する、最大伸長ε領域２を少なくとも有する。これを更に図に示す。本明細書において、第１領域（１）は、以下のように１ａ、１ｂ又は１ｃとして示される。収縮状態の弾性積層体部分（１０）における第１領域（１）は、１ｃとして示され、部分的伸張状態の弾性積層体部分（１０）における第１領域（１）は、１ｂとして示され、第１領域（１）の弾性材は、１ａとして示される。同じことが、第２及び第３領域（２，３）、並びにこれに対応する番号２ａ、２ｂ、２ｃ及び３ａ、３ｂ、３ｃに当てはまる。
【００７４】
典型的には、ε領域１は、εの５０％未満、好ましくは更にεの４０％未満、又は更により好ましくはεの３０％未満、又は更にεの２０％未満であり、或いは好ましい実施形態では、第１領域（１）は伸長可能性を全く有しておらず、ε領域１は０である。後者は、図５及び８に見ることができ、この場合、第１領域（１）は、収縮状態（１ｃ）においてしわを有しておらず、伸長可能性を有さない。
【００７５】
本明細書における弾性積層体部分（１０）は、少なくとも収縮状態において及び部分的伸張状態（伸長＝０．５）において、トップシート材料（２０）から形成されるしわを有する。
【００７６】
第１領域（１）において、しわの平均的なしわの高さは、第２（及び任意に又は好ましくは第３）領域（２，３）におけるしわの平均的なしわの高さ未満、並びに弾性積層体部分（１０）全体（平均）の平均的なしわの高さ未満であってもよい。
【００７７】
本発明の一実施形態では、吸収性物品は、弾性積層体部分（１０）を有するトップシート（２０）を含み、それは、伸長ε＝０．５（本明細書に記載の方法により決定される）において平均的なしわの高さ（Ｈｗ）を有し、また第１領域（１）は、この実施形態では、Ｈｗの５０％未満、好ましくは３０％未満、又は更にＨｗの２０％未満、又は更に１０％未満Ｈｗの平均的なしわの高さＨｗ領域１を有するか、或いは、第１領域（１）は更に、しわを全く有さない（Ｈｗ領域１は約０である）。
【００７８】
第２領域（２）は、典型的には、少なくとも１．１Ｈｗ、又はより好ましくは少なくとも１．２Ｈｗ、又はより好ましくは少なくとも１．３Ｈｗ、又はより好ましくは少なくとも１．３５Ｈｗの平均的なしわの高さＨｗ領域２を有する。
【００７９】
Ｈｗは、例えば６００μ〜１０００μ、又は例えば８５０μまでであってもよく、またＨｗ領域１は、３００μ以下、又はより好ましくは２００μ以下、又は更に約０であってもよい。Ｈｗ領域２は、好ましくは、７００〜１２００μ、又は７５０〜１０００μであってもよい。
【００８０】
別の実施形態では、又は加えて、第１領域（１）内における平均的なしわの密度（縦方向１ｃｍ当たりのしわの量）は、第２領域（２）内より（及び例えば、第３（３）領域内より）少なく、及び弾性積層体部分（１０）全体の平均的なしわの密度より少ない。
【００８１】
０．５の伸長εのとき、積層体部分（１０）は、しわの密度Ｄｗ（１ｃｍ当たりのしわ）を有してもよく、また前記第１領域（１）は、０．５の伸長εにおいて、Ｄｗの５０％未満、好ましくは更にＤｗの３０％未満、又は更に２０％未満、又は更にＤｗの１０％未満のしわの密度Ｄｗ領域１を有し、又は更にしわを全く有さない、即ち、約０のしわの密度を有する。
【００８２】
典型的には、この０．５の伸長におけるＤｗは、１ｃｍ当たり少なくとも７．５個のしわである。Ｄｗ１は、１ｃｍ当たり５個以下のしわ、又は更に１ｃｍ当たり３個以下のしわ、又は更に０個のしわであってもよい。
【００８３】
第２領域（２）は、第１領域（１）の平均的なしわの密度を超過する、及び弾性積層体部分（１０）の平均的なしわの密度を超過する平均的なしわの密度を有し、好ましくは少なくとも１．１．Ｄｗ、又はより好ましくは少なくとも１．２Ｄｗ、又は更により好ましくは少なくとも１．２５Ｄｗである。
【００８４】
好ましい実施形態では、第１領域（１）は、使用中に生殖器に最も近い皮膚領域と接触して配置され、典型的には、それは、図５に示すように、物品の（縦方向の）前側５０％内、又は更に前側４０％内に配置される場合があり、図５に示すように、おそらくは物品の長さの前側１０％内、又は更に前側２０％内には配置されない場合があり、又は図１及び２に示すように、例えば物品の股部区域内に配置される場合がある。別の実施形態では、前記第１領域（１）は、例えば、臍に最も近接していてもよい。
【００８５】
第２領域（２）の最大伸長可能性ε領域２は、εを超過しており、好ましくは１１０％ε、又は更により好ましくは１２０％ε、又は更に１３０％εである。
【００８６】
第１領域の完全に収縮した長さ（Ｌｃ領域１）は、少なくとも２ｃｍ、又は更に多く、例えば２×２ｃｍ、又は３×２ｃｍであってもよい。
【００８７】
好ましくは、Ｌｃ領域１は、Ｌｃの少なくとも２０％、又は少なくとも３０％であるが、典型的には最大で６０％Ｌｃ、又は最大で５０％である。
【００８８】
第２領域（２）は、収縮状態のＬｃ領域２において、上記の第１領域（１）と同じ長さを有してもよく、又は、それは第１領域よりもより長い長さを有してもよい。それは、物品の（縦方向の）後側５０％内、又は例えば後側腰部区域内に配置されてもよい。
【００８９】
弾性積層体部分（１０）はまた、更なる領域、例えば、第１領域の最大伸長ε領域１を超過する、及び典型的には全弾性積層体部分（１０）の平均最大伸長εを超過する、最大伸長ε領域３を有する第３領域（３）を含んでもよく、これは、第２領域の最大伸長ε領域２に等しくてもよい。それは、少なくとも２ｃｍのＬｃ領域３を有する。
【００９０】
第１領域（１）は、典型的には、（ｙ方向の向きに）第２領域（２）及び第３領域（３）の間に配置される。例えば、第２領域（２）が物品又は構成要素の（縦方向の）後側４０％、又は５０％、又は６０％内に位置決めされる場合、第３領域（３）は、物品又はトップシート（２０）の（縦方向の）前側３０％、又は２０％、又は１０％内に、例えば前側腰部区域の部分内に配置され、それらの間には第１領域（１）がある状態であってもよい。取付部分（４）は、弾性積層体部分（１０）の両方の長手方向末端部上に存在しても存在しなくてもよい。
【００９１】
典型的には、第３領域（３）は、平均的なしわの高さＨｗ領域３を有し、それは、第１領域の平均的なしわの高さＨｗ領域１を超過し、典型的にはＨｗを超過し、例えば、Ｈｗ領域２と同じである。
【００９２】
次いで、第３領域（３）は、第１領域の平均的なしわの密度Ｄｗ領域１を超過する、平均的なしわの密度Ｄｗ領域３を有し、それは、弾性積層体部分（１０）全体の平均的なしわの密度Ｄｗとほぼ同一の平均的なしわの密度Ｄｗ領域３を有してもよいが、典型的には、第３領域（３）は、前記平均Ｄｗを超過する、及び例えば第２領域Ｄｗ領域２の平均的なしわの密度と同一の（又は超過する）、平均的なしわの密度を有する。
【００９３】
しわの密度及びしわの高さは、後述のプリモス（Primos）方法によって決定することができる。
【００９４】
ある領域の横方向縁部、即ち、境界の視覚化もまた、当該技術分野において既知の後述のプリモス（Primos）方法を用いて、線を視覚化することによって実施されてもよく、この場合、以下のいずれかである。
−（長さ２ｃｍに沿った）片側のしわの高さは、（長さ２ｃｍに沿った）前記線の他方の側のしわの高さよりもより低いか、又は、（それぞれ長さ２ｃｍに沿った）片側の線にはしわが存在せず、他方の側にはある高さのしわが存在する；或いは
−（長さ２ｃｍに沿った）片側のしわの密度は、（長さ２ｃｍに沿った）前記線の他方の側のしわの密度よりも低いか、又は（それぞれ長さ２ｃｍに沿った）片側の線にはしわが存在せず、他方の側にはしわがある密度を呈している。
【００９５】
本明細書における一実施形態では、トップシート（２０）は、同時係属出願ＥＰ−Ａ−１２０１２１２に記載されるように、また図１〜５に示されるように、典型的には一対の対向する、好ましくは少なくとも部分的に平行な弾性積層体部分（伸縮性領域）を形成する、少なくとも２つの弾性積層体部分（１０）を含む。
【００９６】
弾性積層体部分（１０）は、好ましくは、開口部の長手方向側縁部から、トップシートの前側及び後側横方向縁部に向かって、又はトップシートの前側及び後側横方向縁部まで完全に延在する。従って、弾性積層体部分（１０）は、好ましくは開口部よりもより長い。弾性積層体部分（１０）は、トップシート（２０）の全長、又は少なくとも使用中に排泄物を受けることが意図されるトップシート（２０）の部分、典型的には、トップシート（２０）から腰バンド（の一部分）を形成するトップシート（２０）の部分を差し引いた部分の上に配置されることが好ましい。
【００９７】
弾性積層体部分（１０）は、好ましくは、中央部分を有して、これが対向する弾性積層体部分（１０）の中央部分に対して実質的に平行であるように形作られる。
【００９８】
２つの中央部分の各々は、好ましくは対応する弾性積層体部分（１０）の全長Ｌ１の３０％〜７０％の、好ましくは開口部の最大長さの約４０％〜８０％の長さを有し、これによって、弾性積層体部分（１０）の全長が、トップシート（２０）の最大長さの約７０％〜９０％、又は好ましくは約８０％〜９０％、又は好ましくは約８５％であるのが好ましい。
【００９９】
２つの対向する弾性積層体部分（１０）の前端部分が、（トップシート（２０）の平面内で）互いから離れて曲がり、その結果、２つの対向する弾性積層体部分（１０）の対向する前端部分の終縁部間の距離が、２つの対向する弾性積層体部分（１０）の中央部分間の距離より長く、同様に、２つの対向する弾性積層体部分（１０）の対向する後端部分の終縁部間の距離が、２つの弾性積層体部分（１０）の中央部分間の距離より長いことが好ましい。
【０１００】
本明細書に記載されるように、弾性積層体部分（１０）は典型的には角度付きであり、それは、長手方向線が弾性積層体部分（１０）の中央の一直線部分（又は中央部分０）を通り且つトップシート（２０）の長手方向軸線に対して平行な状態で、１０°〜４０°の、又は好ましくは１７°〜３５°の、又は更により好ましくは２０°〜３５°の前側及び後側の角度を有する。
【０１０１】
そのような対の対向する角度付き弾性積層体部分（１０）は、本明細書において、Ｘ形状を有するものと見なされ、好ましいＸ形状が、図３及び４に例示されている。
【０１０２】
トップシート（２０）は、任意に弾性積層体部分に関して本明細書で上述した必要条件を備えた、一対の二次弾性体を含んでもよい。これらは、好ましくは、トップシート（２０）の長さの０．３倍〜トップシート（２０）の長さの３．２倍の長さを有する、半径Ｒを有する曲線状の弾性体であってもよい。
【０１０３】
トップシート（２０）は、弾性材（１２）へ積層体を適合できるいかなる材料であってもよい。好ましくは、トップシート（２０）自体は、ｙ方向に弾性伸縮可能でなくてもよい。
【０１０４】
本明細書のトップシート（２０）は、更に、比較的堅い材料であってもよい。一実施形態では、弾性積層体部分（１０）を形成するトップシート（２０）は、少なくとも４μＮｍ、又は更に少なくとも８μＮｍ、又は更に少なくとも１０μＮｍ、又は更に少なくとも１２μＮｍの曲げ剛性を有する。その材料は、比較的高い坪量、即ち、少なくとも１０グラム／ｍ２、又は更に少なくとも１５グラム／ｍ２、又は更に少なくとも２０グラム／ｍ２、又は更に少なくとも２５グラム／ｍ２を有する材料であってもよい。これは、日本のカトー・テック社（Kato Tech Co Ltd）から入手可能なＫＥＳ−ＦＢ２（純曲げ）試験機を使用し、この設備の操作手順に従うことによって決定可能である。
【０１０５】
好ましいトップシート（２０）は、天然繊維（例えば、木繊維又は綿繊維）及び／又は合成繊維の織布材料及び不織布材料を含む。トップシート（２０）は、好ましくは熱可塑性ポリマー繊維を含み、好ましくは、ポリオレフィン類、ポリエステル類、ポリウレタン類、及びポリアミド類を含む群から選択され、最も好ましくは、熱可塑性ポリマーが、ポリオレフィンであり、最も好ましくは、ポリプロピレン又はポリエチレンである。
【０１０６】
その繊維は、スパンボンドされても、カード加工されても、湿式積層されても、メルトブローンされても、及び／又は水流交絡されても、及び／又は当該技術分野において既知の他の方法で加工されてもよい。トップシート（２０）は、少なくともメルトブロー繊維を含む不織布材料を含むことが好ましく、好ましくは、メルトブロー繊維が、前記材料中に少なくとも５グラム／ｍ２、又は更に少なくとも７グラム／ｍ２、又は更に少なくとも１０グラム／ｍ２、又は更に１５グラム／ｍ２の坪量を有する（最大量は、上で定義したトップシート（２０）全体の坪量によって制限される）。
【０１０７】
トップシート（２０）は、好ましくは、空気透過性である。本明細書における特定の手法では、それは、高いバリア特性を有することが好ましい場合がある。
【０１０８】
トップシート（２０）は、ミクロ細孔を有してもよく、これらは小さなミクロ細孔による均一な孔径分布を有する、即ち、トップシート（２０）は、最大孔径（バブルポイント直径）が１００μｍ未満、好ましくは７５μｍ未満、より好ましくは５０μｍ未満、最も好ましくは２５μｍ未満である孔を有する。その孔はまた、好ましくは、平均孔径が２０μｍ未満、好ましくは１７μｍ未満、より好ましくは１３μｍ未満、最も好ましくは１０μｍであるようなものである。
【０１０９】
トップシート（２０）は、２つ又はそれ以上のシート又はウェブの一部分（１０）であることが好ましい場合がある。例えば、それは、少なくとも２つの層を含んで、その１つがメルトブローン（Ｍ）層であり、別の層がスパンボンド（Ｓ）又はカード（Ｃ）層のいずれかであってもよい。
【０１１０】
好ましい手法は、ＳＭ  ＳＭＳ、ＳＭＭＳ、ＳＳＭＳ、ＳＳＭＳＳ、ＳＳＭＭＳ、ＣＭ又はＣＭＣ不織布積層体である。トップシート（２０）の１つの表面、ウェブ又は層は、本明細書に記載の表面エネルギー低下剤で処理されることが好ましい場合がある。
【０１１１】
最も好ましくは、前記不織布ウェブは、ポリエチレン、ポリプロピレン及び／若しくはポリブチレンポリマー繊維、又はポリエチレン、ポリプロピレン及び／若しくはポリブチレンのコポリマーの繊維（の混合物）から形成され、最も好ましいのは、ポリプロピレンポリマー繊維である。
【０１１２】
本明細書のトップシート（２０）として使用される好ましい材料は、例えばぺガス（Pegas）からペガフォブ（Pegaphob）０２  ４４５  ０３２の名称で入手可能な、３２μｍの最大孔サイズ（孔径）及び３４ダルシー／ｍｍの空気透過率を有する、３４ｇｓｍのＳＭＳポリプロピレン不織布積層体；例えばぺガス（Pegas）からペガフォブ（Pegaphob）０２  ４４５  ０２４の名称で入手可能な、５７μｍの最大孔径を有する、２４ｇｓｍのＳＳＭＭＳポリプロピレン不織布積層体；例えばぺガス（Pegas）からペガフォブ（Pegaphob）０２  ４４５  ０３２の名称で入手可能な、４８μｍの最大孔径を有する、３４ｇｓｍのＳＳＭＭＳポリプロピレン不織布積層体；サンドラー（Sandler）からコードＶＰ２１／００／７５で入手可能な、２２μｍの最大孔径を有する、２０ｇｓｍのウェブ；又はサンドラー（Sandler）からコードＶＰ２１／００／７６で入手可能な、２３μｍの最大孔径を有する、２０ｇｓｍのウェブである。そのような材料は、材料の表面エネルギーを低下させるために、例えばダイポリット（Dipolit）で処理されてもよい。
【０１１３】
トップシート（２０）が、着用者の皮膚及びトップシート（２０）間の、又は特に皮膚及び弾性積層体部分（１０）間の摩擦を低減させる成分を含むことも好ましい場合がある。この点に関して、トップシート（２０）、例えば積層体部分（１０）又はトップシート（２０）は、例えば、ローション、タルク粉体などの微粉体、若しくはワックスを含んでもよい。
【０１１４】
トップシート（２０）、トップシート（２０）又は積層体部分（１０）は、その表面エネルギーを低下させるための剤で処理されてもよい。有用な処理剤には、例えば、米国特許第５，８７６，７５３号（ティモンス（Timmons）ら、１９９９年３月２日発行）、米国特許第５，８８８，５９１号（グリーソン（Gleason）ら、１９９９年３月３０日発行）、米国特許第６，０４５，８７７号（グリーソン（Gleason）ら、２０００年４月４日発行）に記載されるような、フルオロカーボン類が挙げられる。その他の処理剤として、シリコーンが挙げられる。空気透過性を低下させることなく処理剤を材料に適用する有用な方法は、米国特許特許第５，３２２，７２９号及びＰＣＴ国際公開特許ＷＯ９６／０３５０１に見出すことができる。好ましい処理剤は、フルオロカーボン類、シロキサン類、ポリシロキサン類（好ましくは、ヘキサフルオロエチレン、ヘキサフルオロプロピレン、並びにフッ化ビニル及びフッ化ビニリデン、フルオロアクリレート及びフルオロメタクリレートを包含する、フッ素化モノマー類及びフッ素化ポリマー類が挙げられる）から成る群から選択されてもよい。非常に好ましくは、トップシート（２０）はポリ（テトラ）フルオロエチレン、フッ素化エチレン−プロピレンコポリマー、及び／又はフッ素化エチレン−テトラフルオロエチレンコポリマーで提供される。
【０１１５】
トップシート（２０）は、好ましくは、疎水性及び／又は尿不透過性である。
【０１１６】
好ましい実施形態では、弾性積層体部分（１０）は、弾性材（１２）の１以上のストランドをトップシート材料に取り付けて弾性材のバンドを形成することにより形成され、こうした形成積層体部分（１０）は、単一の積層体部分（１０）と見なされる、というのは、それは、例えば弾性ストランドが同じ仕方（例えば平行）でトップシート（２０）に取り付けられ、互いに非常に接近しているため、使用中に単一の弾性部分（１０）として働く積層体部分（１０）が得られるようなものとして、使用中に機能するからである。典型的には、単一の弾性積層体部分（１０）における弾性バンド又はストランド（stands）間の平均距離は、１〜５ｍｍ、又は１〜３ｍｍである。
【０１１７】
弾性積層体部分（１０）の幅は、典型的にはトップシート（２０）の及び／又は物品の正確な寸法に応じて変化する。
【０１１８】
例えば、サイズ４のおむつの場合、本明細書のトップシート（２０）における弾性積層体部分（１０）は、伸張状態において、約３ｍｍ〜５０ｍｍ、好ましくは３ｍｍ〜４０ｍｍ、又は更により好ましくは３ｍｍ、又は更に５ｍｍ〜２０ｍｍの平均幅を有してもよい。
【０１１９】
いかなる弾性材（１２）を本発明のために使用してもよいが、好ましい材料は、トレデガー（Tredegar）から入手可能なＶＦＥ−ＣＤ、及びフルフレックス（Fulflex）（アイルランド、リメリック（Limerick））から入手可能なＬ−８６、又は好ましくはフルフレックス（Fulflex）から入手可能なＬ−８９であり、又は最も好ましいのはもちろんこれらの材料自体の１つ以上のものである。
【０１２０】
本明細書で使用される弾性材（１２）は、典型的には少なくとも２０μ、より好ましくは少なくとも４０μ、又は更に少なくとも６０μ、典型的には約３００μまで、又は更に２００μまで、又は更に１５０μまでの厚さ（例えばゲージ）を有する。非常に好ましい材料は、約７０〜１００μの厚さを有する。
【０１２１】
本発明者らは、典型的にはより小さいしわ及び／又はしわ密度を有する、低最大伸長、又は無伸長の１以上の領域（１，２）を導入することによって、圧痕が低減することを見出した。しかしながら、弾性積層体部分（１０）を有するトップシート（２０）の、及び物品の全体的な弾性特性は維持することができる。従って、本明細書の弾性積層体部分（１０）及び／又は積層体部分（１０）を有するトップシート（２０）は、典型的には、低伸長の第１領域（１）にもかかわらず、以下の弾性特性のいずれかを有するようなものである。
【０１２２】
ａ）１．１Ｎ未満又は更に０．６Ｎ未満の第１負荷力により１．５Ｌｔ、２．１Ｎ未満又は更に１．１Ｎの第１負荷力により３．０Ｌｔ、及び３．０Ｎ未満又は更に１．５Ｎ未満の第１負荷力により４．５Ｌｔ、並びに４．５Ｌｔで０．９Ｎ超過の第２負荷軽減力、３．０Ｌｔで０．５Ｎ超過の第２負荷軽減力、及び１．５Ｌｔで０．１Ｎ超過の第２負荷軽減力。
【０１２３】
（前記弾性特性は、同時係属出願ＥＰ１２０１２１２−Ａに記載の方法によって得られ、ここでＬｔは、構成要素（componenet）の収縮した長さであり、本明細書においてＬｃと呼ばれる）。
【０１２４】
又は、
ｂ）０．６Ｎ未満の第１負荷力により０．２５Ｌｓ、５Ｎ未満又は更に３．５Ｎ未満の第１負荷力により０．５５Ｌｓ、及び１０．０Ｎ未満又は更に７．０Ｎ未満の第１負荷力により０．８Ｌｓ、並びに０．５５Ｌｓで０．４Ｎ超過の第２負荷軽減力、及び０．８０Ｌｓで１．４Ｎ超過の、又は更に２．０Ｎ超過の第２負荷軽減力。
【０１２５】
（前記弾性特性は、同時係属出願ＥＰ１２０１２１２−Ａに記載の方法によって得られ、ここでＬｓは、本明細書で定義した通りである。）
好ましくは、トップシート（２０）又は弾性積層体部分（１０）は、２００％の伸長で１．６Ｎ以下の第１負荷力、及び２００％の伸長で０．５Ｎ以上の第２負荷軽減力を有するように、力特性を有する。
【０１２６】
方法
トップシート（２０）又は積層体部分（１０）は、例えば、以下の諸工程：
ａ．トップシート材料がその最大長さ寸法を有するように、トップシート材料を得る工程；
ｂ．弾性材（１２）を得て、少なくともその１つの第１部分を０．３未満の伸長により伸長させるか、又は少なくとも前記第１部分を未伸長のままにしておき、前記部分が、少なくとも２ｃｍの（ｙ方向における）完全に収縮した長さＬｃ領域１を有する工程；及び
ｃ．少なくともその第２部分を、少なくとも０．７の伸長を有するように伸長させる工程；
ｄ．工程ｂで得られる前記第１部分をトップシート材料に付着させ、第１領域（１）を形成する工程、
ｅ．工程ｂで得られる前記第２部分をトップシート材料に付着させ、第２領域（２）を形成する工程、を含む方法により得ることができ、
その結果、異なる伸長の少なくとも前記第１領域（１）及び前記第２領域（２）を有する、弾性積層体部分（１０）が得られる。
【０１２７】
ここで、工程ｄを工程ｃより前に適用してもよい。同様に、工程ｄ及び任意に工程ｅを工程ｂより前に適用してもよい。
【０１２８】
これは、図９〜１２において更に示される。
【０１２９】
弾性材（１２）は、接着剤又は熱接合を含む、いかなる既知の方法により、トップシート材料に取り付けられてもよい。それらは、しわを有さない取付部分（４）が得られないように、又は（弾性積層体部分（１０）の長さの方向に）１ｃｍ未満、若しくは更に０．５ｍｍ未満の長さを有する小さい取付部分（４）のみが得られるように、取り付けられてもよい。
【０１３０】
弾性バンド又はストランドをトップシート材料に取り付ける好ましい方法は、同時係属中の欧州特許出願０３０２２０８９．１（２００３年１０月１日出願）に記載されており、それは、より高い伸長及び弾性を有する第２領域及び第３領域又は更なる領域によって、いかなる圧痕をも低減させる場合があるためである。
【０１３１】
試験方法：
（領域（の位置）、Ｌｓ及びＬｓ領域（zonme）１，２，・・・・ｘ、及び伸長を規定し決定するために）その十分に伸張した長さに、又はε＝０．５の伸長に伸張する方法：
上記の計算に関して、以下において試料と呼ばれる積層体部分（１０）全体（一直線状のとき）、その一直線部分（図１３及び１４のように、一直線状で角度付きの部分を含むとき）、又はその区画（図１５及び１６のように、曲線状のとき）のいずれかは、そこに力を印加することによって伸張される。これを以下のように行う。
【０１３２】
トップシート（２０）（前記「試料」を含む）、又は可能な場合、その弾性積層体部分（１０）（前記「試料」を含む）を、伸長可能性、しわの高さ、及びしわの密度が変化しないように、吸収性物品から取り外すことにより得る。
【０１３３】
以下の伸長／伸張工程の前に、それを２５℃及び湿度５０％で２４時間放置し、その後、同じ条件下で伸長／伸張工程を実施する。
【０１３４】
マイクロメーターねじを用いて、区画／試料の長さの測定を行うことができる。
【０１３５】
試験されるべき（各）試料を２つのピンセット間で（伸張方向に）縦方向に配置するか、又は、試料の幅が１ｃｍ超過である場合、幅１ｃｍの２つのクランプ間で各末端部上に１つずつ配置し、その結果、ピンセット／クランプと試料の接触領域は、伸張（長さ）の方向においてクランプに関して最大で１ｍｍ、及びピンセットに関して０．５ｍｍである。一方のクランプ又はピンセットの始点から他方のクランプ又はピンセットの起点までの間の正確な距離を測定する。これは、試料の、例えば積層体部分、その一直線部分、又はその区画の収縮した長さ、即ちマーカーペンの線の間に印付けされたように、２ｃｍである。
【０１３６】
次いで、試料をその最大伸長（例えば支持トップシート材料がその最大長さに達するとき）に伸張し、試料の長さ及びクランプ間の距離を測定し、伸長εを計算する。
【０１３７】
一直線状の試料に関して、クランプ又はピンセットは、長さ方向が伸長力の方向であるように、一直線状の試料の長さのｙ方向に移動される。
【０１３８】
曲線状の試料に関して、クランプを、上で決定した力線に沿って移動させる。
【０１３９】
ε＝０．５の伸長：
弾性積層体部分（１０）が「０．５の伸長ε」を有するときに、弾性積層体部分（１０）上の密度及びしわの高さを測定するが、これには、本明細書において以下のことを意味する。
【０１４０】
弾性積層体部分（１０）が一直線状である場合、トップシート（２０）及び／又は積層体部分（１０）全体を、伸長ε＝０．５を有する長さに伸長又は伸張する（例えば、Ｌｃが２０ｃｍである場合、積層体部分（１０）をＬｓ＝３０ｃｍに伸張する）。次いで、この積層体部分を以下の方法で試験することができる。
【０１４１】
上記のように、及び図１〜５及び１３及び１４に示されるように、弾性積層体部分（１０）が、角度によって連結された一直線部分を有する場合、各一直線状の区画は、０．５の伸長によって伸長されるか、又はこれが可能ではない場合（例えば、図５及び８に示されるように、一直線状の一区画が、伸長可能性をほとんど有さないか又は全く有さない第１領域（１）と一致する場合）その最大伸長に伸長する（従って、これは、０．５未満であるべきである）。次いで、この積層体部分を以下の方法で試験することができる。
【０１４２】
上記のように、及び図１５及び１６に示されるように、弾性積層体部分（１０）が曲線状である場合、２ｃｍの各区画を、（ピンセット又はクランプを用いて）０．５の伸長に伸長するか、又はこれが不可能である場合、その最大伸長に伸長する（これは、０．５未満（les than）であるべきである）。次いで、この積層体部分（１０）を以下の方法で試験することができる。
【０１４３】
いずれの場合にも、伸張した弾性積層体部分（１０）を、ε＝０．５のこの部分的に伸張した位置で従来の手段により試験表面（例えば糊、ピン）上に固定してから、弾性積層体部分の位置を動かさないようにしながら、弾性積層体部分を伸張するのに使用したピンセットを慎重に取り除く。
【０１４４】
異なるしわの高さ又は密度の領域の画定、及びこれらのパラメータの定量化
本明細書における領域（１，２）の境界を視覚化する方法、並びに／又はトップシート（２０）の積層体部分（１０）、その区画及び領域のしわの高さ及びしわ（winkle）の密度を決定する方法について以下に説明する。
【０１４５】
上記の方法により定義されて得られる０．５の伸長を有する各試料を、製造業者の（manufacture’s）取扱説明書に従い、１３×１８ｍｍのレンズを用いて、プリモス（Primos）及びそのデータ収集ソフトウェアを用いて検査する。
【０１４６】
プリモス（Primos）装置及びソフトウェアは、試料の、例えば積層体全体、又はその区画、又はその一部の平均的なしわの高さ及び密度を計算する。次いで、領域の伸長に関して上に概説した方法に従い、第１及び第２領域を特定することができる。各区画及び特定領域（例えば１以上の区画）の平均的なしわの高さ及び密度を計算することができる。
【０１４７】
弾性積層体部分（１０）が３ｍｍ超過の平均幅を有する場合、上記の測定は、その全長に沿って、積層体部分の幅の内側７０％上においてのみ行われる。
【０１４８】
「発明を実施するための最良の形態」で引用したすべての文献は、関連部分において本明細書に参考として組み込まれるが、いずれの文献の引用も、それが本発明に対する先行技術であることを容認するものと解釈されるべきではない。
【０１４９】
本発明の特定の実施形態を例示し記載したが、本発明の精神及び範囲から逸脱することなく、他の様々な変更及び修正を実施できることが、当業者には明白であろう。従って、本発明の範囲内にあるそのようなすべての変更及び修正を添付の特許請求の範囲で扱うものとする。
【図面の簡単な説明】
【０１５０】
【図１】トップシート（２０）、即ち、極めて限られた伸長可能性のみを備えた第１領域（１又は１ｃ）をそれぞれが有する２つの分離した別個の弾性積層体部分（１０）を有するトップシート（２０）を有する本発明の代表的なおむつの斜視図。
【図２】第２領域（２）及び第３領域（３）が部分的伸張状態である、使用中の図１のおむつを示す。
【図３】第１領域（１，１ｂ）が図１と比較してごく僅かだけ伸長されており、しわを全く有さない、部分的伸張状態における図１のおむつの平面図。
【図４】第１領域（１；１ｂ）が、トップシート（２０）の及びおむつの前側腰部区域の方に僅かにより遠くなり、使用中に少年の生殖器がある場所により近い方に位置付けられた、代替のおむつの平面図。
【図５】第１領域（１，１ｃ）が弾性材を含むが収縮状態にあるときですら全くしわを含まない、代替のおむつの斜視図。
【図６】部分的伸張状態における図１及び２及び３の積層体部分（１０）の断面側面図。
【図７】収縮状態における図８の積層体部分（１０）の断面側面図。
【図８】第１領域（１）がしわを全く含まず伸長可能性を有さない、収縮状態における代替の積層体部分の断面側面図。
【図９】本明細書の弾性積層体部分（１０）及びトップシート（２０）が得られる様子の概略平面図。
【図１０】本明細書の弾性積層体部分（１０）及びトップシート（２０）が得られる様子の概略平面図。
【図１１】本明細書の弾性積層体部分（１０）及びトップシート（２０）が得られる様子の概略平面図。
【図１２】結果的に得られる積層体（１０）及びトップシート（２０）の断面側面図。
【図１３】収縮状態における角度付き積層体部分（１０）の平面図。
【図１４】約０．５の平均伸長における図１３のこの積層体部分を示す。
【図１５】収縮状態における曲線状の積層体部分（１０）の平面図。
【図１６】約０．５の平均伸長の図１５のこの積層体部分を示す。
【図１】
2009511130.tif 000003
【図２】
2009511130.tif 000004
【図３】
2009511130.tif 000005
【図４】
2009511130.tif 000006
【図５】
2009511130.tif 000007
【図６】
2009511130.tif 000008
【図７】
2009511130.tif 000009
【図８】
2009511130.tif 000010
【図９】
2009511130.tif 000011
【図１０】
2009511130.tif 000012
【図１１】
2009511130.tif 000013
【図１２】
2009511130.tif 000014
【図１３】
2009511130.tif 000015
【図１４】
2009511130.tif 000016
【図１５】
2009511130.tif 000017
【図１６】
2009511130.tif 000018
【国際調査報告】
2009511130.tif 000019
2009511130.tif 000020
2009511130.tif 000021
2009511130.tif 000022